(57)【特許請求の範囲】
【請求項１】
ビデオ会議システムであって、
複数のビデオデータソースと、
ビデオデータを表示し、タッチデータを生成するタッチスクリーン装置であって、前記タッチスクリーン装置は、センサを有するユーザツールを有し、前記センサは、前記ユーザツールが移動されたときに、トリガを生成し、そして前記タッチスクリーン装置は制御データにおいて前記トリガを有する、タッチスクリーン装置と、
前記タッチスクリーン装置及び前記ビデオデータソースに動作可能であるように結合されたビデオ会議ユニットであって、該ビデオ会議ユニットは、
ネットワークを介して１つ又はそれ以上の端点とビデオ会議を確立し、
前記ビデオデータソースの１つ又はそれ以上からビデオデータを受信し、
表示のために前記ネットワークを介して前記タッチスクリーン装置に及び１つ又はそれ以上の端点に、受信されたビデオデータを送信し
前記タッチスクリーン装置から制御データを受信し、
前記ユーザが移動されたかどうかを前記制御データから判定し、
前記移動されたユーザツールに応答して前記ビデオデータソースのうちの１つを選択し、
前記制御データに応答して、現在の１つ又はそれ以上のビデオデータソースから前記選択されたビデオデータソースに自動的に切り換え、
前記選択されたビデオデータソースから、前記表示のためのネットワークを介して、前記タッチスクリーン装置に及び前記ビデオ会議の前記１つ又はそれ以上の端点に切り換えられたビデオデータを送信する、
ビデオ会議ユニットと、
を有するビデオ会議システム。
【請求項２】
請求項１に記載のビデオ会議システムであって、前記ビデオデータソースは、ネットワーク、カメラ、ビデオカセットレコーダ、ＤＶＤプレーヤ、ラップトップコンピュータ、パーソナルコンピュータ、ビジュアルソースのプログラム可能制御器又はＸＧＡスプリッタを介して、１つ又はそれ以上の端点に結合しているネットワークインターフェースを有する群から選択される、ビデオ会議システム。
【請求項３】
請求項１に記載のビデオ会議システムであって、一のビデオデータソースから他のビデオデータソースに自動的に切り替わるように、前記ビデオ会議ユニットは、
前記動いたユーザツールに応じてホワイトボードを生成し、
前記タッチスクリーン装置からタッチデータを受信し、
前記ホワイトボードに註釈として受信したタッチデータを組み合わせ、
前記ネットワークを介して、前記ビデオ会議の１つ又はそれ以上の端点に及び表示のために前記タッチスクリーン装置に註釈化された前記ホワイトボードを送信する、
ビデオ会議システム。
【請求項４】
請求項１に記載のビデオ会議システムであって、
前記タッチスクリーン装置は第１データインターフェースを有し、
前記ビデオ会議ユニットは前記第１データインターフェースに結合している第２データインターフェースを有し、
前記第２データインターフェースは、前記タッチスクリーン装置の前記第１データインターフェースからタッチデータを受信する、
ビデオ会議システム。
【請求項５】
請求項４に記載のビデオ会議システムであって、
ビデオ出力を有し、そして前記タッチスクリーン装置の他のデータインターフェースに結合しているデータインターフェースを有するコンピュータと、
前記コンピュータの前記ビデオ出力に結合されたビデオ入力を有するＸＧＡスプリッタであって、前記ビデオ会議ユニットのビデオ入力に結合されたビデオ出力を有し、前記タッチスクリーン装置の他のビデオ入力に結合された他のビデオ出力を有する、ＸＧＡスプリッタと、
を更に有するビデオ会議システム。
【請求項６】
請求項４に記載のビデオ会議システムであって、前記ビデオ会議ユニット及び前記タッチスクリーン装置の第１及び第２データインターフェース間に結合されたデータインターフェースを有するビジュアル制御器を更に有する、ビデオ会議システム。
【請求項７】
請求項６に記載のビデオ会議システムであって、１つ又はそれ以上のビデオデータソースは前記ビジュアル制御器の１つ又はそれ以上のビデオ入力に結合し、そして前記ビジュアル制御器は、前記ビデオ会議ユニットの１つ又はそれ以上のビデオ入力に結合している１つ又はそれ以上のビデオ出力を有する、ビデオ会議システム。
【請求項８】
ビデオ会議システムであって、
ビデオデータを表示し、タッチデータを生成するタッチスクリーン装置であって、第１及び第２ビデオ入力と第１及び第２データインターフェースとを有する、タッチスクリーン装置と、
前記タッチスクリーン装置の前記第１ビデオ入力及び前記第１データインターフェースに結合しているコンピュータであって、コンテンツについてのビデオ出力を有する、コンピュータと、
前記コンピュータのビデオ出力に結合し、前記タッチスクリーン装置の前記第２ビデオ入力及び前記第２データインターフェースに結合しているビデオ会議ユニットであって、ネットワークを介して１つ又はそれ以上の端点とビデオ会議を確立するビデオ会議ユニットと、
を有するビデオ会議システムであり、
動作の註釈モードにおいて、前記コンピュータは、
前記タッチスクリーン装置からタッチデータを受信し、
前記コンピュータのコンテンツに註釈として受信したタッチデータを組み合わせ、そして
表示のために前記タッチスクリーン装置に及び前記ビデオ会議ユニットに註釈化コンテンツを送信し、
動作の註釈モードにおいて、前記ビデオ会議ユニットは、
前記コンピュータから註釈化コンテンツを受信し、そして
前記ネットワークを介して前記１つ又はそれ以上の端点にコンテンツを送信する、
ビデオ会議システム。
【請求項９】
請求項８に記載のビデオ会議システムであって、前記の動作の註釈モードにおいて前記コンピュータから送信された前記コンテンツは、ホワイトボード、コンピュータスクリーン、画像又はビジュアル媒体を有する、ビデオ会議システム。
【請求項１０】
請求項８に記載のビデオ会議システムであって、前記タッチスクリーン装置はセンサを有するユーザツールを有し、前記センサは、前記ユーザツールが動いたときに制御データを生成し、前記ビデオ会議システムは、生成した制御データに応じて動作の註釈化モードに自動的に切り替わる、ビデオ会議システム。
【請求項１１】
請求項８に記載のビデオ会議システムであって、前記コンピュータの前記ビデオ出力に結合したビデオ入力を有するＸＧＡスプリッタと、前記ビデオ会議ユニットのビデオ入力に結合したビデオ出力及び前記第１ビデオ入力に結合した他のビデオ出力を有する前記タッチスクリーン装置とを更に有する、ビデオ会議システム。
【請求項１２】
請求項１１に記載のビデオ会議システムであって、前記ビデオ会議ユニットのデータインターフェースと前記タッチスクリーン装置の前記第２データインターフェースとの間に結合したデータインターフェースを有するビジュアル制御器を更に有する、ビデオ会議システム。
【請求項１３】
請求項１２に記載のビデオ会議システムであって、少なくとも１つのビデオデータソースは前記ビジュアル制御器のビデオ入力に結合し、前記ビジュアル制御器は前記ビデオ会議ユニットのビデオ入力に結合したビデオ出力を有する、ビデオ会議システム。
【請求項１４】
請求項１３に記載のビデオ会議システムであって、前記少なくとも１つのビデオデータソースは、カメラ、ビデオカセットレコーダ及びＤＶＤプレーヤを有する群から選択される、ビデオ会議システム。
【請求項１５】
請求項１又は８に記載のビデオ会議システムであって、
該ビデオ会議システムは、パン、チルト又はズームの少なくとも１つが可能である少なくとも１つのカメラを有し、
前記ビデオ会議システムは、
表示のためにタッチスクリーン装置に、前記少なくとも１つのカメラから受信されたビデオデータを送信し、
ユーザの選択のための少なくとも１つのタッチ制御として、送信されたビデオデータの少なくとも１つの領域を指定し、前記少なくとも１つのタッチ制御は前記少なくとも１つのカメラの前記パン、チルト又はズームを制御するためのものであり、
前記タッチスクリーン装置からタッチデータを受信し、
制御信号を生成するように、受信されたタッチデータを前記少なくとも１つのタッチ制御と関連付け、そして
前記の関連付けられた制御信号に基づいて、前記少なくとも１つのカメラの動作を制御するように、前記少なくとも１つのカメラに前記制御信号を送信する、
ビデオ会議システム。
【請求項１６】
請求項１５に記載のビデオ会議システムであって、前記少なくとも１つのカメラは、該少なくとも１つのカメラをパンする、チルトする又はズームするための機械的アクチュエータを有し、前記関連付けられたタッチ制御に基づいて、前記少なくとも１つのカメラの動作を制御するように、前記ビデオ会議ユニットは前記機械的アクチュエータに前記制御信号を送信する、ビデオ会議システム。
【請求項１７】
請求項１５に記載のビデオ会議システムであって、前記少なくとも１つのカメラは、該少なくとも１つのカメラにより捕捉されたビデオデータをパンする、チルトする又はズームするための電子的処理能力を有し、そして、前記関連付けられたタッチ制御に基づいて、前記少なくとも１つのカメラの動作を制御するように、前記ビデオ会議ユニットは、前記電子的処理能力を実行するように前記少なくとも１つのカメラに前記制御信号を送信する、ビデオ会議システム。
【請求項１８】
請求項１５に記載のビデオ会議システムであって、前記少なくとも１つのカメラは、前記端点の１つに結合した遠端カメラを有し、そして、前記関連付けられたタッチ制御に基づいて、前記遠端カメラの動作を制御するように、前記ビデオ会議ユニットは、前記ネットワークを介して前記遠端カメラに制御信号を送信する、ビデオ会議システム。
【請求項１９】
請求項１５に記載のビデオ会議システムであって、前記少なくとも１つのカメラは、機械的に動作される又はデジタル的に行われるパン、チルト及びズーム能力を有する、ビデオ会議システム。
【請求項２０】
請求項１５に記載のビデオ会議システムであって、前記少なくとも１つのカメラはパン−チルト−ズームカメラであり、ユーザ選択のための少なくとも１つのタッチ制御として送信されたビデオデータの少なくとも１つの領域を指定するように、前記ビデオ会議ユニットは、前記タッチスクリーン装置に送信されたビデオデータと関連して、表示のために格子を生成し、該格子は前記少なくとも１つのカメラの前記パン、チルト及びズームを制御するように前記少なくとも１つのタッチ制御に対応している、ビデオ会議システム。
【請求項２１】
請求項２０に記載のビデオ会議システムであって、前記格子は、前記パン−チルト−ズームカメラをパンするように第１タッチ制御に対応する領域の第１対と、前記パン−チルト−ズームカメラをチルトするように第２タッチ制御に対応する領域の第２対と、前記パン−チルト−ズームカメラをズームするように第３タッチ制御に対応する領域の第３対とを有する、ビデオ会議システム。
【請求項２２】
請求項１５に記載のビデオ会議システムであって、前記少なくとも１つのカメラは第１カメラ及び第２カメラを有し、前記関連付けられたタッチ制御に基づいて、前記第１カメラ及び前記第２カメラの動作を制御するように、前記ビデオ会議ユニットは、
前記第１カメラ及び前記第２カメラのどちらが前記タッチスクリーン装置に送信されているビデオデータを、現在有するかを決定し、
前記関連付けられたタッチ制御に基づいて、前記決定された一のカメラの動作を制御する、
ビデオ会議システム。
【請求項２３】
請求項１５に記載のビデオ会議システムであって、前記第１カメラは前記ビデオ会議ユニットと関連付けられた近距離カメラを有し、そして前記第２カメラは前記ビデオ会議の端点の１つと関連付けられた遠端カメラを有する、ビデオ会議システム。
【発明の詳細な説明】
【技術分野】
【０００１】
本発明の主題は、タッチスクリーンインターフェースを有するビデオ会議を制御するためのシステム及び方法に関する。
【背景技術】
【０００２】
代表的には、ビデオ会議システムのユーザは、そのシステムを操作し、制御するために遠隔制御器を使用する。更に、制御パネル、タブレット入力装置、キーパッド又はウェブインターフェースが、そのシステムを操作し、制御するために使用される。ハンドヘルド型遠隔制御器を使用するとき、ユーザは、ビデオ会議システムにおけるリモコンを目標とし、そのシステムを操作して制御するように、ユーザインターフェースの複数の選択及びメニューを介してナビゲートする。タブレット入力装置及びキーボードは、典型的には、ビデオ会議システムに適切に接続される必要があり、適切な接続はユーザにとって困難である可能性がある。ビデオ会議については、ユーザはまた、ユーザがビデオ会議に書き込み及び註釈を加えることができるように註釈ツールを有するコンピュータ又は書画カメラを構成することを希望する可能性がある。残念ながら、註釈ツールを有する書画カメラ及びコンピュータは、構成して、ビデオ会議システムと共に使用することは困難である。
【０００３】
当該技術分野で既知の１つの先行技術のビデオ会議システムはＰｏｌｙｃｏｍ社製の３０００ｉＰｏｗｅｒである。３０００ｉＰｏｗｅｒは、Ｐｏｌｙｃｏｍ  ｉＰｏｗｅｒ９８００とＳＭＡＲＴ  Ｔｅｃｈｎｏｌｏｇｉｅｓ社製のＲｅａｒ  Ｐｒｏｊｅｃｔｉｏｎ  ＳＭＡＲＴ  Ｂｏａｒｄ（登録商標）３０００ｉ対話型ホワイトボードとを有する。３０００ｉＰｏｗｅｒは、コンピュータ画像がビデオ会議電話において投影されてその画像を見ることを可能にし、３０００ｉＰｏｗｅｒは、会議のアプリケーションへのアクセスを与えるタッチスクリーン制御を提供する。ユーザは、３０００ｉＰｏｗｅｒのペントレイからペンを使用し、ホワイトボード又はハイライト重要情報に註釈を作成することができる。
【発明の開示】
【発明が解決しようとする課題】
【０００４】
本発明の主題は、上記の問題点の１つ又はそれ以上を克服する、又はそれらの影響を少なくも低減することである。
【課題を解決するための手段】
【０００５】
ビデオ会議システムはタッチスクリーンディスプレイ装置及びビデオ会議ユニットを有する。ディスプレイ装置はビデオ会議のためのビデオデータを表示し、タッチスクリーンに対するユーザの選択に基づいてタッチデータを生成する。ビデオ会議ユニットは、例えば、ビデオ接続及びデータインターフェース接続によりタッチスクリーン装置に動作可能であるように結合している。そのビデオ会議ユニットは、ネットワークを介して、１つ又はそれ以上の端点とビデオ会議を確立し、実行する。そのビデオ会議ユニットは、ディスプレイ装置にビデオデータを送信し、そのディスプレイ装置からタッチデータを受信する。受信されたタッチデータは、ビデオ会議システムの動作を制御するように用いられる。受信されたタッチデータは、ビデオ会議電話を開始し、動作パラメータを変え、カメラの方向を変え、ピクチャインピクチャディスプレイを起動し、メニューにアクセスし、メモリにアクセスし、ビデオデータのソースを変え、ホワイトボードディスプレイを起動し、そして接続装置のスクリーンにアクセスするように用いられることが可能である。
【０００６】
下記の要約は、本発明の各々の見込まれる実施形態又は全ての特徴を要約するように意図されていない。
【０００７】
本発明の下記の要約、好適な実施形態及び主題の他の特徴は、添付した図面を参照して読むときに特定の実施形態についての詳細説明を最もよく理解することができるものである。
【０００８】
本発明の主題は、種々の修正及び変形が可能であり、その特定の実施形態について、例示として図で示され、以下、詳述する。図及び以下の説明は、何れにしても、本発明の概念の範囲を限定するように意図されていない。そうではなく、図及び以下の説明は、特定の実施形態を参照することにより当業者に対して本発明の概念を例示するように与えられている。
【発明を実施するための最良の形態】
【０００９】
図１を参照するに、本発明の特定の教示にしたがったビデオ会議システムの実施形態について、示している。ビデオ会議システム１０は、ビデオ会議ユニット１００及びタッチスクリーンディスプレイ装置２００を有する。ビデオ会議システム１０は、例えば、コンピュータ（ラップトップか又はデスクトップ）５０、ビデオカセットレコーダ（ＶＣＲ）７０及びＤＶＤ（Ｄｉｇｉｔａｌ  Ｖｅｒｓａｔｉｌｅ  Ｄｉｓｃ）プレーヤ８０等のような１つ又はそれ以上の周辺装置を更に有することができる。一実施形態においては、ビデオ会議ユニット１００は、本発明の譲受人、Ｐｏｌｙｃｏｍ社製であるＶＳＸ８０００であり、タッチスクリーンディスプレイ装置２００は、カナダのＳＭＡＲＴ  Ｔｓｃｈｎｏｌｏｇｉｅｓ社製の３０００ｉ  ｍｏｄｅｌ  ＳＭＡＲＴ  Ｂｏａｒｄである。他の実施形態においては、ビデオ会議ユニット１００及びタッチスクリーンディスプレイ装置２００はビデオ会議システム１０に共に一体化されることができる。
【００１０】
ビデオ会議ユニット１００は、ネットワークを介して遠隔端点（図示せず）とのビデオ会議を確立し、それを行うために使用される。ビデオ会議ユニット１００はカメラ１０２及びマイク１０４を有する。実施に応じて、そのユニット１００は、赤外線（ＩＲ）検出器１０６のような他の共通構成要素を有することができる。タッチスクリーンディスプレイ装置２００は、ユーザに映像を表示することと、ユーザによる手のタッチ及び注釈を受け入れることの両方ができる。一実施形態においては、タッチスクリーンディスプレイ装置２００は、ユーザがスクリーン２０２のある領域に手でタッチして文字を書くときを検出するために、スクリーン２０２の周りに光センサを有するビデオモニタ等である。例えば、ビデオモニタは、従来のテレビジョンディスプレイ、フラットパネルディスプレイ又は当該技術分野で既知の他のディスプレイの部品であることが可能である。タッチスクリーンディスプレイ装置２００はまた、当該技術分野で既知の他のタッチスクリーン技術を用いることができる。
【００１１】
３０００ｉ  ｍｏｄｅｌ  ＳＭＡＲＴ  Ｂｏａｒｄのような装置２００は、投影スクリーン２０２、一体化されたＸＧＡ（Ｅｘｔｅｎｄｅｄ  Ｇｒａｐｈｉｃｓ  Ａｒｒａｙ）投影器２２０、制御パネル２３０及びトレイ２４０を有する。その装置はまた、音声システム（図示せず）を有する。ユーザがスクリーンに触れるときを検出するように、その装置２００は、オブジェクト及びディスプレイスクリーン２０２に対する動きを検出するようにデジタルカメラ（図示せず）を使用する。下記のように、ディスプレイ装置２００の制御パネル２３０は、ビデオ会議ユニット１００と繋いで動作するボタンを有する。トレイ２４０は、例えば、ペン及びイレーサ等の種々のツール２４２を有する。トレイ２４０における光センサ（図示せず）は、ユーザがトレイ２４０から特定のペン又はイレーサ２４２を取り上げるときを検出するように使用される。
【００１２】
図２Ａ及び２Ｂを参照するに、図１のビデオ会議システム１０の実施形態の模式図を示している。図２Ａの実施形態においては、そのシステム１０のビデオ会議システム１０は、タッチスクリーンディスプレイ装置２００に直接結合されている。下記の説明は、ビデオ会議システム１０についての映像接続に焦点を当てている。しかしながら、ビデオ会議システム１０は音声接続を有することが可能であることが理解できるであろう。例えば、ビデオ会議ユニット１００は、ディスプレイ装置２００に対する音声接続を有することが可能であり、そしてディスプレイ装置２００のスピーカに音声データを送信することができる。
【００１３】
システム１０の映像接続に関して、カメラ１０２は、ビデオ会議ユニット１００のＳ映像接続のような入力１１４に結合している。ビデオ会議ユニット１００は、ディスプレイ装置２００の映像入力２１２に結合した映像出力１１２を有する。例えば、ＸＧＡケーブルは、ディスプレイ装置２００のＲＧＢ入力２１２にビデオ会議ユニット１００のＸＧＡ出力１１２を接続するために使用されることができる。ビデオ会議ユニット１００はまた、ディスプレイ装置２００のシリアルポート（ＣＯＭ１）２１３に結合しているシリアルポート１１３を有する。ユニット１００及びディスプレイ装置２００は、シリアルポート１１３及び２１３を用いて、互いにデータを搬送する。このデータは、ディスプレイ装置２００により得られ、ユニット１００に搬送されるタッチデータであって、そのユニット１００は下記のような操作のためのタッチデータを用いる、タッチデータを有する。搬送されるデータはまた、ディスプレイ装置２００の制御パネル（図示せず）に設けられたボタンを選択するユーザにより生成されるデータを有する。
【００１４】
ビデオ会議システム１０はまた、システム１０の一部の実施又は機能のために有用である複数の光学構成要素を有することが可能である。例えば、１つ又はそれ以上の光学ＶＣＲ又はＤＶＤプレーヤ７０又は８０は、ユニット１００の１つ又はそれ以上に結合することが可能である。更に、任意のラップトップ又は他のコンピュータ５０は、シリアルポート（ＣＯＭ２）２１５を介してタッチスクリーン装置２００に結合されることが可能である。タッチスクリーン装置２００のシリアルポート（ＣＯＭ２）２１５へのコンピュータ５０の結合は、コンピュータ５０が適切なソフトウェアを有する場合に、ディスプレイ装置２００がビデオ会議ユニット１００からの独立構成要素として別個に作動することを可能にすることができる。  
コンピュータ５０はまた、ビデオ会議ユニット１００の入力１１６に結合され、ディスプレイ装置２００のＲＧＢ入力２１６に結合されているＸＧＡスプリッタ６０に結合されることが可能である。そのコンピュータ５０及びスプリッタ６０の両方のユニット１００及びディスプレイ装置２００への結合は、ディスプレイ装置２００により表示されるように及びビデオ会議ユニット１００により遠隔端点（図示せず）に転送されるように、コンピュータにおいて、コンピュータ５０がコンテンツ、画像等を供給することを可能にする。一実施形態においては、コンピュータ５０がビデオ会議ユニット１００とコンピュータ５０を統合させる適切なソフトウェアを有する場合、コンピュータ５０は、ビデオ会議ユニット１００の動作を制御するためのグラフィカルユーザインターフェースを有することが可能である。コンピュータ５０を有するユニットを制御するためのＧＵＩは、下記で説明する動作の“ＰＣダイレクト”モードで動作されるとき、ディスプレイ装置２００に表示されることが可能である。
【００１５】
図２Ｂのビデオ会議システムの実施形態においては、ビデオ会議ユニット１００はまた、ディスプレイ装置２００のＲＧＢ入力２１２に直接結合されているビデオ出力１１２を有する。しかしながら、ビデオ会議ユニット１００のシリアルポート１１３はディスプレイ装置２００のシリアルポート（ＣＯＭ１）２１３にまた結合しているＡ／Ｖ制御器１５０に結合している。Ａ／Ｖ制御器１５０を用いて、ビデオ会議ユニット１００及びディスプレイ装置２００は、互いに用いるシリアルポート１１３及び２１３の間でデータを転送することが可能である。
【００１６】
一実施形態においては、Ａ／Ｖ制御器１５０はＰＯＩＮＴＥＲＭＡＲＫ（登録商標）ＰＶＩビデオマーカーであり、それは、オーディオビジュアル装置を制御するように用いられるプログラム可能装置であり、米国アリゾナ州Ｔｕｃｓｏｎ市のＢｏｅｃｋｅｌｅｒ  Ｉｎｓｔｒｕｍｅｎｔｓ社製である。ビデオ会議ユニット１００のＡ／Ｖ制御器１５０へのシリアルポート１１３を介するシリアル接続は、ビデオ会議ユニット１００がＡ／Ｖ制御器１５０の動作を制御することを可能にする。
【００１７】
上記実施形態におけるように、カメラ１０２は、ビデオ会議ユニット１００のカメラ入力１１４に直接結合している。しかしながら、ＶＣＲ／ＤＶＤ７０／８０、書画カメラ９０、コンピュータ５０及びＸＧＡスプリッタ６０のようなオプションの構成要素はＡ／Ｖ制御器１５０に結合している。また、Ａ／Ｖ制御器１５０は、先ず、パーソナルコンピュータ５０から第１ビデオデータ１５２を、ＶＣＲ／ＤＶＤ７０／８０から第２ビデオデータ１５４を、そしてビデオ会議ユニット１００の１つ又はそれ以上の入力１１５に書画カメラから第３ビデオデータ１５６を供給する。
【００１８】
この実施形態においては、書画カメラ９０は、Ａ／Ｖ制御器１５０のＳビデオ入力にＳビデオケーブルにより接続されることが可能である。また、Ａ／Ｖ制御器１５０のＳビデオ出力からのＳビデオケーブルはユニット１００の第２カメラ入力に接続されることが可能である。ＶＣＲ／ＤＶＤ７０／８０は、Ａ／Ｖ制御器１５０のコンポジットビデオ出力からＡ／Ｖ制御器１５０のコンポジットビデオ入力にＲＣＡ又はＢＮＣケーブルにより接続されることが可能である。また、Ａ／Ｖ制御器１５０のコンポジットビデオ出力からのＳビデオケーブル又はＢＣＮは、ビデオ会議ユニット１００のＶＣＲ／ＤＶＤビデオ入力に接続されることが可能である。Ａ／Ｖ制御器１５０からのビデオは、Ａ／Ｖ制御器１５０のＶＧＡ出力からビデオ会議ユニット１００のＶＧＡ入力にＸＧＡ／ＶＧＡケーブルにより接続されている。
【００１９】
図３を参照するに、ビデオ会議システム１０の付加構成要素が詳細に模式的に示されている。ビデオ会議ユニット１００は制御器１２０を有し、その制御器は、何れの会議符号化器、処理器、及び当該技術分野で既知であり、ビデオ会議ユニットのために用いられる
他の電子構成要素を有することが可能である。制御器１２０は、ビデオのための出力１１２、データインターフェースのためのシリアルポート及びメモリ１３０の記憶機能１３１乃至１３５に結合されている。制御器１２０はまた、近距離カメラ１０２からのビデオのための入力１１４に結合され、近距離カメラ１０２を制御するためのインターフェース１１５に結合されることが可能である。ビデオ出力１１２はディスプレイ装置２００のビデオ入力２１２に結合され、シリアルポート１１３はディスプレイ装置２００のシリアルポート２１３とデータを交換する。例えば、シリアルポート１１３はディスプレイ装置２００からタッチデータを受け取り、シリアルポート１１３はディスプレイ装置２００と制御データを交換することが可能である。
【００２０】
制御器１２０は、ビデオコーデック１２２及びデータ処理器１２４を有する。ビデオコーデック１２２は、ディスプレイ装置２００により表示され、ビデオ会議の遠隔端点に送信されるビデオデータを処理するために役割を果たす。一般に、ビデオデータは、ビデオ会議ユニット１００のカメラ（図示せず）により捕捉された画像、ビデオ会議の遠隔端点からのビデオ、周辺装置（例えば、ＶＣＲ、ＤＶＤプレーヤ、コンピュータ、書画カメラ等）からのコンテンツ、ディスプレイ装置２００からの注釈及び他の映像データを有することが可能である。当該技術分野で知られているビデオ会議に関連するそのようなビデオコーデック１２２の動作については、ここでは説明しない。
【００２１】
データ処理器１２４は、ビデオ会議ユニット１００のためのデータを処理する役割を果たす。このデータは、ディスプレイ装置からのタッチデータ、通信データ、コマンド、ビデオ会議情報等を有する。制御器１２０はまた、映像会議ユニットのために一般に用いられるようなネットワークインターフェース１４０に結合され、ネットワークインターフェース１５０は当該技術分野において既知のビデオ会議ネットワークに結合される。
【００２２】
制御器１２０は、メモリ１３０に記憶されている動作機能１３１乃至１３５を用いて、ビデオ会議システム１０の少なくとも幾つかの特徴の動作を制御する。それらの動作機能は、オンスクリーングラフィカルユーザインターフェース（ＧＵＩ）機能１３１、カメラ機能１３２、注釈機能１３３、ホワイトボード機能１３４及び補助装置機能１３５を有する。それらの動作機能１３１乃至１３５の各々については、下記で更に詳細に説明するが、それらの機能１３１乃至１３５の一般的概観については、ここで説明する。
【００２３】
オンスクリーンＧＵＩ機能１３１は、ビデオ会議ユニットがディスプレイ装置２００におけるシステム１０の動作を制御するためのグラフィカルユーザインターフェースを表示することを可能にする。ビデオ会議ユニット１００のグラフィカルユーザインターフェースは、複数のタッチ制御、ユーザがメニュー及びシステムを動作し、制御するためにディスプレイ装置２００に表示されることが可能である対話を有することが可能である。例えば、ユニット１００のグラフィカルユーザインターフェース１００は、ユーザがディレクトリ、速度ダイヤル又はマニュアルダイヤルメニューによるビデオ会議電話を備える、入来ビデオ会議電話に答える、ビデオ会議電話を切る、音声ボリュームをミュートする又は変える、カメラ及びコンテンツソースを選択する、ピクチャインピクチャ（ＰＩＰ）で近い及び遠いビデオを交換する及びここで開示する他の動作を行うことを可能にする。
【００２４】
カメラ機能１３２は、ビデオ会議ユニット１００が、近距離カメラ１０２のような１つ又はそれ以上のカメラの動作を制御するためにディスプレイ装置２００に映像タッチ制御を表示することを可能にする。一実施形態においては、近距離カメラ１０２は、当該技術分野においては、パン、チルト及びズームができるパン−チルト−ズームカメラである。近距離カメラ１０２の１つ又はそれ以上のパン、チルト及びズーム能力は、映像会議ユニットのパン−チルト−ズームカメラのために当該技術分野で用いられているような。１つ又はそれ以上の機械的アクチュエータ１０３により達成されることが可能である。インターフェース１１５はアクチュエータ１０３に結合され、制御器１２０は、インターフェース１１５による制御信号を用いて、近距離カメラ１０２のパン、チルト及びズーム能力の動作を制御する。ディスプレイ装置２００におけるユーザ使用映像タッチ制御は、近距離カメラ１０２のパン、チルト及びズームを制御するように、制御信号を生成することが可能である。
【００２５】
代替として、近距離カメラ１０２のパン、チルト及びズーム能力は電気的に達成されることが可能である。例えば、近距離カメラ１０２は、パン、チルト及びズームのための処理能力を有することが可能であり、制御器１２０は、インターフェースを介して制御信号を用いてその処理を制御することができる。他の実施例においては、制御器１２０は、それに代えて、パン、チルト及びズームの処理能力を有し、制御器１２０は、ビデオ入力１１４を介して近距離カメラから受け取られるビデオに基づいてそれらの動作を行うことができる。
【００２６】
近距離カメラの制御に加えて、カメラ機能１３２は、ビデオ会議ユニット１００が、ネットワーク１４２における遠端カメラ１４４の動作を制御するためにディスプレイ装置２００における映像タッチ制御を表示することを可能にする。例えば、遠端カメラ１４４は、ビデオ会議に参加する遠隔端点と関連付けられることが可能である、ネットワークインターフェースを用いる場合、制御器は、制御信号を用いて、遠端カメラ１４４パン、チルト及びズーム能力を制御することができる。例えば、遠端カメラ１４４は、１つ又はそれ以上の機械的アクチュエータを有する又は電子処理能力を有するパン−チルト−ズームカメラであることが可能である。制御器１２０は、ネットワークインターフェース１４０を介して遠端カメラ１４４を制御するために、Ｈ．３２３のＡｎｎｅｘ  Ｑに記載されているＨ．２２４のような遠端カメラ制御プロトコルを用いることができる。
【００２７】
注釈機能１３３は、ユーザが、ディスプレイ装置２００に表示されたビデオに注釈を作成することを可能にし、ホワイトボード機能１３４は、ユーザがディスプレイ装置２００に表示されているホワイトボードに注釈を作成することを可能にする。最後に、補助装置機能１３５は、ビデオ会議ユニット１００がコンピュータ、ラップトップ、ＶＣＲ、ＤＶＤプレーヤ等のような他の補助装置からのビデオを表示することを可能にする。
【００２８】
上記の一般的な記載から明らかであるように、操作機能１３１乃至１３５は、注釈モード及びタッチ制御モードにおいてタッチスクリーンディスプレイ装置２００を動作させることを可能にする。ペン又はイレーサツール２４２がディスプレイ装置２００のトレイ２４０から取り上げられるかどうかにどのモードが依存するかを決定する。ペン又はイレーサルール２４２がトレイ２４０から取り上げられる場合、例えば、ビデオ会議ユニット１００は、ユーザが装置２００に表示されるビデオに注釈を作成することができるように、注釈モードでディスプレイ装置２００を動作させることができる。そのビデオは、ビデオ会議又は他のコンテンツであることが可能であり、ビデオ会議ユニット１００、コンピュータ、ラップトップコンピュータ、ＶＣＲ、ＤＶＤプレーヤ、書画カメラ等からのものであることが可能である。ツール２４２の全てがトレイ２４０に設けられているとき、ビデオ会議ユニット１００は、ユニット１００のグラフィカルユーザインターフェース、タッチ制御、メニュー、対話等に対応するディスプレイ２００の領域を触れることによりビデオ会議システム１０の動作をユーザが制御することができるように、タッチ制御モードでディスプレイ装置２００を動作させることができる。
【００２９】
ここで、図４乃至８を参照するに、ビデオ会議ユニット１００がビデオ会議システム１０の動作をどのように制御するかについての一般的概観を与え、ビデオ会議ユニット１００の動作機能について更に詳細に説明する。
【００３０】
上記のように、ビデオ会議ユニット１００は、補助装置機能１３５を用いて、タッチスクリーンディスプレイ装置２００の動作を制御する。これを達成するための一方法は、ビデオ会議ユニット１００を有するディスプレイ装置２００の制御パネル（２３０、図１）において制御を統合することにより達成される。図４を参照するに、タッチスクリーンディスプレイ装置（図示せず）の制御パネル２３０の実施形態を示している。上記のように、タッチスクリーンディスプレイ装置は、好適には、３０００ｉ  ｍｏｄｅｌ  Ｓｍａｒｔ  Ｂｏａｒｄである。したがって、３０００ｉ  ｍｏｄｅｌ  Ｓｍａｒｔ  Ｂｏａｒｄの制御パネル２３０は、ディスプレイ装置のボリュームレベル、輝度レベル及びコントラストレベルを制御する複数のボタンを有する。開示したビデオ会議システムのビデオ会議ユニットとディスプレイ装置との間の統合部分として、しかしながら、ディスプレイ装置の制御パネル２３０におけるボタンは、図４の実施形態に示すように再構成されている。（便宜上、本発明の開示についての図１の構成要素についての参照番号に対して同じ参照番号を図４においても付けている。）
制御パネル２３０は、ビデオ会議の動作モードを開始する第１ボタン２３１を有する。このモードにおいては、ビデオ会議ユニット（１００）は、ネットワークを介して遠隔端点とのビデオ会議接続を確立することにより、ディスプレイ装置（２００）のＲＧＢ入力にビデオ会議のビデオを送信することにより、及びディスプレイ装置（２００）とユニット（１００）との間でグラフィカルユーザインターフェース及びタッチデータを転送することにより、ビデオ会議を確立し且つ行う。
【００３１】
パネル２３０の第２ボタン２３２は、開示しているビデオ会議システムに結合される場合に、パーソナルコンピュータ（５０）の制御を開始する。このモードにおいては、コンピュータ（５０）からのコンテンツが、ビデオ会議中に表示されることが可能である。このコンテンツは、コンピュータのスクリーン、ビデオ又はコンピュータにおいて記憶されている他の画像、パワーポイントプレゼンテーション、ファイル等を有することが可能である。ビデオ会議中、コンピュータ（５０）からのコンテンツはビデオ会議ユニット（１０）により処理され、ディスプレイ装置（２００）に送信される。そのコンテンツはまた、ビデオ会議の遠隔端点に送信されることが可能である。
【００３２】
パネル３０の第３ボタン２３３は、ＰＣの直接動作モードを開始する。このモードにおいては、コンピュータ（５０）からのビデオデータは、ビデオ会議ユニットのビデオコーデックからではなくスプリッタ（６０）からのＸＧＡ出力から直接、ディスプレイ装置（２００）のＲＧＢ入力に送信される。これは、ビデオ会議電話であるかどうかにおいて成されることが可能であり、コンピュータのコンテンツが他の端点に送信されるか否かにおいて成されることが可能である。パネル２３０の第４ボタンは、ディスプレイ装置（２００）が接続されているソースからＳ−ビデオ接続によりビデオを受信するように動作するビデオの動作モードを開始する。
【００３３】
制御パネル２３０におけるボタンに加えて、ディスプレイ装置（２００）はまた、装置のトレイ（２４０）における他のボタン２３５及び２３６を有する。それらのボタン２３５及び２３６は、便宜上、トレイ（２４０）から離して図４に示している。第１トレイボタン２３５は、元々、結合されたコンピュレー又はラプトップのソフトウェアにより動作されるとき、ディスプレイ装置（２００）のスクリーンにおいてオンスクリーンキーボードにアクセスする。本発明の開示のビデオ会議システム（１０）については、しかしながら、このキーボードボタン２３５を押すことは、ディスプレイ装置（２００）のトレイ（２４０）においてペン（２４２）全ては下ろされ、ユニット（１００）は、キーボードのディスプレイが適切であるスクリーンを生成するときに、ビデオ会議ユニット（１００）のオンスクリーンキーボードにアクセスするように再構成されている。ペン（２４２）がトレイ（２４０）から取り上げられる場合、しかしながら、このボタン２３５は、ビデオ会議システム（１０）の実施の構成要素であるとき、Ａ/Ｖ制御器（１５０、図２Ａ）の較正スクリーンにアクセスする。そのアクセスされる較正スクリーンにより、ユーザは、タッチスクリーンディスプレイ装置（２００）を用いて、Ａ/Ｖ制御器（１５０、図２Ｂ）を較正する。
【００３４】
第２トレイボタン２３６は、元々、ディスプレイ装置（２００）が結合されたコンピュータ又はラップトップ（５０）のソフトウェアにより動作されるとき、右マウスクリックとして動作される。本発明の開示のビデオ会議システム（１０）については、このボタン２３６を押すことにより、ディスプレイ装置（２００）のトレイ（２４０）においてペンが下ろされている場合、ビデオ会議ユニット（１００）のＶＧＡグラフィックを開始する及び終了するように再構成される。ペン（２４２）がトレイ（２４０）から取り上げられる場合、それが実施形の一部であるとき、ボタン２３６は、Ａ/Ｖ制御器（１５０、図２Ｂ）のメニューにアクセスする。アクセスされたメニュースクリーンにより、ユーザは、タッチスクリーンディスプレイ装置（２００）を用いて、Ａ/Ｖ制御器（１５０、図２Ｂ）の動作を制御することができる。
【００３５】
図３を参照するに、ビデオ会議ユニット１００は、上記のように、システム１０の動作を制御するように用いられるディスプレイ装置２００におけるユーザインターフェース、メニュー、タッチ制御、ダイアログ等を表示するためのオンスクリーンＧＵＩ機能１３１を有する。オンスクリーンＧＵＩ機能１３１の一部は、ディスプレイ装置２００にタッチ制御を表示すること、及びシステム１０の動作を制御するようにそれらのタッチ制御に関してディスプレイ装置２００からビデオ会議ユニット１００におけるタッチデータを受信することを有する。換言すれば、ディスプレイ装置２００は、タッチスクリーンディスプレイ装置２００におけるユーザの接触、電子ペンなどからの情報、選択、注釈を検出するように用いられる。このように検出されたタッチデータはビデオ会議ユニット１００に送信される。また、タッチデータはビデオ会議システム１０を動作させるように用いられる。
【００３６】
例えば、ディスプレイ装置２００のタッチスクリーンの領域における接触又は開放は、ビデオ会議ユニット１００のユーザインターフェースのために構成された特徴の接触及び/又は開放に対応するイベントをもたらす。ユーザの接触が、ユニット１００のユーザインターフェースのタッチ制御として指定されないスクリーンの領域にある場合、タッチデータは、カメラ制御にアクセスする又は主メニューを取り上げる等を行うことができる管理アルゴリズムにより処理されることが可能である。したがって、ユニット１００は、グラフィカルユーザインターフェース（ＧＵＩ）及び/又はビデオがディスプレイ装置２００に、現在、表示されているかどうかを決定する。例えば、ユニット１００がＧＵＩを示している場合、ユーザは、ディスプレイ装置２００のスクリーンに触れて、ビデオ会議ユニット１００に入力を生成するように、指又は電子ペン２４２を用いることができる。
【００３７】
図５を参照するに、ビデオ会議ユニット（１００）により生成されたメニュー３１０の実施形態が、ディスプレイ装置（２００）のタッチスクリーン２０２に示されている。メニュー３１０は、ビデオが表示されている間に、ユーザがスクリーン２０２の左上に表示されたボタン３０２を選択するときに、呼び出される。好適には、ボタン３０２は透明であるか又は隠されていて、参加者のビデオ及びコンテンツを有するスクリーンを有する全てのスクリーンから利用可能である。一旦、呼び出されるとき、メニュー３１０は、スクリーン２０２への直接の対話型タッチを用いることによりユーザがビデオ会議システムを制御することを可能にする。好適には、メニュー３１０は透明であり、スクリーン２０２に現在、表示されているビデオに重ねられて表示される。
【００３８】
メニュー３１０は、遠隔制御において利用可能であるボタンに類似する複数のタッチ制御３１２を有する。それらのタッチ制御３１２は、ホームボタン、電話ボタン、中断ボタン、ミュートボタン、プリセットボタン、カメラボタン、ピクチャインピクチャ（ＰＩＰ）ボタン、近距離ボタン、遠距離ボタン、プリセットボタン及び終了ボタンを有する。それらの及び他のボタンは、実施形態に応じてメニュー３１０に備えられることが可能である。例えば、幾つかの他の有効なボタンは、支援を提示するボタン及びオンスクリーンキーボードのためのボタンを含む。
【００３９】
タッチ制御３１２は、物理的遠隔地に見出される対応する制御に対して同様に動作することができる。ここで、違いは、スクリーン２０２に表示されるビデオデータの指定された領域がビデオ会議システムを制御し、動作させるように用いられるタッチ制御に関連付けられることである。例えば、メニュー３１０において電話ボタンを選択することによりビデオ会議電話を開始することができる。電話を開始するように、スピードダイヤルダイアログ又はアドレスブックダイアログが、どの遠隔端点がビデオ会議を確立するべきかを選択するように、スクリーン２０２においてアクセスされることが可能である。メニュー３１０における中断ボタンを選択することにより、現在アクティブな２つ以上の電話が存在している場合、ビデオ会議電話を終了する又はスクリーン２０２において中断ダイアログを提示することができる。メニュー３１０においてボリュームボタンを選択することにより、スクリーン２０２にボリュームバーを提示することができ、次いで、ユーザは、ボリュームを制御するようにスクリーン２０２に表示されるボリュームバーに触れることができる。メニュー３１０におけるＭｕｔｅ及びＰＩＰは、音声をミュートするためのボタンを切り替え、スクリーン２０２においてピクチャインピクチャを生成することができる。
【００４０】
メニュー３１０においてプリセットボタンを選択することにより、スクリーン２０２においてプリセットダイアログを提示することができ、ユーザは、複数の記憶されているプリセットから選択する又は触れるそしてプリセットを記憶するように保つことができる。メニュー３１０においてカメラボタンを選択することにより、ビデオソース（例えば、カメラ、コンピュータ等）をリストアップするスクリーン２０２においてダイアログを提示することができ、ユーザは、所望のビデオソースを選択するようにそのリストにおいて適切なボタンに触れることができる。メニュー３１０における近距離ボタン及び遠距離ボタンは、ユーザがビデオ会議の端点と関連付けられる遠距離カメラの１つ又はそれ以上又は近距離カメラ（即ち、ビデオ会議ユニット（１００）に結合された一）を選択して、制御すること可能にする。
【００４１】
上記のように、図３のビデオ会議ユニット１００はまた、カメラを制御するためにカメラ機能１３２を有する。カメラ機能１３２の一部は、ディスプレイ装置２００にカメラ制御を表示すること及びカメラの動作を制御するようにそれらのカメラ制御を表示することを有する。図６を参照するに、ビデオ会議ユニットにより生成されたカメラ制御３５０の実施形態が、ディスプレイ装置のタッチスクリーン２０２に示されている。カメラ制御３５０は、ユーザが、スクリーン２０２において直感的タッチを用いてユーザがパン−チルト−ズームカメラを制御することを可能にする。フルスクリーンビデオがスクリーン２０２に表示されているとき、ペン又はイレーサツール（２４２、図１）が下ろされてスクリーンのどこかに触れると、アクティブなビデオの上に表示される透かし格子３６０を提示する。制御アイコン３６４及び３６８は、透かし格子３６０の領域３６２及び３６６に位置付けられる。制御アイコン３６４と関連付けられたグリッド３６０の上部領域と下部領域の対３６２に触れることにより、ユーザは、ビデオ会議に参加している遠隔端点の又は接続されたビデオ会議ユニットのパン−チルト−ズームカメラをパニングすることができる。他の制御アイコン３６８と関連付けられる光子３６０の内側領域３６６の対において触れることにより、ユーザは、ビデオ会議に参加している遠隔端点の又は接続されたビデオ会議ユニットのカメラをズームすることができる。
【００４２】
ビデオ会議と関連付けられたどのカメラ（例えば、近端又は遠端）が制御されているかを決定することは、どのビデオが現在、スクリーン２０２に表示されているかに依存する。例えば、ビデオ会議の端点と関連付けられる遠端カメラのビデオがスクリーンに現在表示されている場合、格子３６０と関連付けられる領域３６２、３６３及び３６６に触れることにより、上記の技術を用いて、遠距離カメラのパン、チルト及びズームを制御する。スクリーン２０２と関連付けられたビデオ会議に接続された近距離カメラのビデオが現在表示されている場合、格子３６０と関連付けられる領域３６２、３６３及び３６６に触れることにより、ここで説明した技術を用いて、近距離カメラのパン、チルト及びズームを制御する。
【００４３】
上記のように、図３の映像会議ユニット１００は、表示されているビデオに注釈を付加するための注釈機能１３３を有する。図７を参照するに、ビデオ会議システム１０の一部が、注釈モード４００で動作していることを示している。注釈モード４００においては、ユーザは、スクリーン２０２に現在表示されているビデオの上に注釈４１０を作成することができる。注釈４１０は、電子ペン２４２により作成されることができ、アクティブなビデオ会議電話をオン又はオフにしている間に作成されることができる。ユーザが、スクリーン２０２において表示対象物４０２（例えば、接続された書画カメラ又はコンピュータからの表示文書）に書き込みたい場合、ビデオ会議システム１０は、ユーザがトレイ２４０から電子ペン２４２を取り上げるとすぐに、動作の注釈モード４００に自動的に進む。上記のように、ディスプレイ装置２００のトレイ２４０における光センサ２４４は、ユーザがトレイ２４０からペン２４２を取り上げるときを検出するように用いられることができる。このデータは、ビデオ会議ユニット１００の制御器（１２０、図３）が注釈機能にアクセスするビデオ会議ユニット１００とデータインターフェースを介してディスプレイ装置２００から送信される。
【００４４】
注釈モードにおいては、ユーザは、ディスプレイ装置２００のスクリーン２０２に表示される種々のビデオ又は画像に注釈を作成することができる。それらのビデオ及び画像は、ビデオ会議ユニット１００からのビデオ会議ビデオ、書画カメラからのビデオ、ＶＣＲ又はＤＶＤプレーヤからのビデオ又は接続されているコンピュータからのコンピュータスクリーン画像を有することが可能である。書画カメラ、ＶＣＲ及びＤＶＤプレーヤからのビデオは、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）又はＰＡＬ（Ｐｈａｓｅ  Ａｌｔｅｒｎａｔｉｎｇ  Ｌｉｎｅ）基準に準拠することが可能である。コンピュータスクリーン画像は、１０２４ｘ７６８の解像度を有するＸＧＡであることが可能である。
【００４５】
注釈４１０がスクリーン２０２において作成されるとき、注釈４１０のグラフィカル要素が表示されているビデオと結合される。表示されているビデオと注釈を結合させることにより、注釈４１０は、ビデオ会議ネットワークに亘って遠隔端点にビデオ会議ユニット１００から送信される圧縮ビデオビットストリームの一部としてビデオ会議の遠端点に容易に送信される。
【００４６】
一実施形態においては、ユーザは、コンピュータにより与えられるコンテンツに注釈４１０を作成することができる。そのコンテンツは、ホワイトボード、コンピュータスクリーン、画像又はコンピュータからの映像媒体であることが可能である。例えば、コンピュータ（５０、図２Ａ及び２Ｂ）は、タッチスクリーン装置２００のスクリーン２０２における表示のコンテンツのソースとして指定されることが可能である。ビデオ会議中、ユーザは、タッチスクリーン装置２００のトレイ２４０からユーザツール２４２を取り上げ、ビデオ会議システム１０は、動作の注釈モードに自動的に切り替わる。動作の註釈モードにおいて、コンピュータ（５０）はタッチスクリーン装置２００からタッチデータを受け取り、コンピュータのコンテンツに註釈として受信したタッチデータを結合する。コンピュータ（５０）は表示のためにタッチスクリーン装置２００にこの註釈化コンテンツを送信し、ビデオ会議ユニット１００にそれを送信する。また、ビデオ会議ユニット１００は、コンピュータ（５０）からその註釈化コンテンツを受信し、ユニットのネットワークインターフェース（１４０、図３）を介してビデオ会議の終点（図示せず）に受信した註釈化コンテンツを送信する。それ故、註釈はコンテンツに対して作成され、ネットワークを介して遠端点に自動的に送信されることが可能である。
【００４７】
註釈化コンテンツを送信することは、好適には、註釈データ及びコンテンツデータを組み合わせることであって、その組み合わせはネットワークを介してＨ．２３９基準に送信されるように、組み合わせることを有する。更に、コンピュータ（５０）によりタッチスクリーン装置２００の表示のためにコンテンツ及び註釈を処理することは、ユーザがビデオ会議中に註釈を作成するときに、従来生じた遅延を有する問題を回避することができる。具体的には、コンピュータによるコンテンツ及び註釈の処理は、ビデオ会議ユニット１００にコンテンツ及び註釈を処理させる必要性を回避し、表示のためにタッチスクリーン装置２００にその註釈化コンテンツを送信する。そのようなフィードバック構成は、典型的には、ユーザがディスプレイ装置２００のスクリーン２０２にどのような註釈を現在作成しているかと、どれ位多くの註釈４１０が表示されるかとの間の遅延をもたらす。何れの重要な遅延は、一般に望ましくない。
【００４８】
上記のように、図３のビデオ会議ユニット１００はまた、ディスプレイ装置２００がホワイトボードとして用いられることを可能にするように、ホワイトボード機能１３４を有する。図８を参照するに、ビデオ会議システム１０の一部は、ホワイトボードモード４５０における動作を示している。このモード４５０にアクセスするように、ユーザは、ディスプレイ装置２００のトレイ２４０から電子ペンを取り上げ、ビデオ会議システム１０は、他のビデオのソース（例えば、書画カメラ、コンピュータ、ＶＣＲ、ＤＶＤプレーヤ等）が未だに選択されていない場合、動作のホワイトボードモードに自動的に進む。ユーザは、次いで、スクリーン２０２に表示されているホワイトボードコンテンツ４５２に註釈４６０を書き始めることが可能である。ホワイトボードコンテンツ４５２は、好適には、１０２４ｘ７６８の解像度を有するＸＧＡ画像である。ユーザは、システム１０がビデオ会議電話の状態にあるか否かに拘わらず、ホワイトボードコンテンツ４５２に註釈４６０を作成することができる。ビデオ会議電話の状態にあるとき、しかしながら、註釈を有するホワイトボードコンテンツ４５２は、ビデオ会議ユニット１００により遠隔端点に送信されることが可能である。
【００４９】
図２Ａ及び２Ｂを参照して上記したように、システム１０はコンピュータを有しないことが可能である。コンピュータを用いない場合、ビデオ会議ユニット１００はそれ自体、ホワイトボードを生成することができる。システム１０が現在、ディスプレイ装置２００にカメラ又はグラフィカルユーザインターフェースのビデオデータを現在、表示しているとき、ビデオ会議ユニット１００は、ユーザがトレイ２４０からペン２４２を取り上げるときに、動作の註釈モードに自動的に進む。註釈モードにおいて、ビデオ会議ユニット１００はホワイトボードコンテンツ４５２を生成する。ビデオ会議ユニット１００はディスプレイ装置からタッチデータを受信し、ホワイトボードコンテンツ４５２に註釈４６０としてのそのタッチデータを結合させる。ビデオ会議ユニット１００は、次いで、ディスプレイ装置２００に註釈化ホワイトボードを送信し、Ｈ．２３９コンテンツとしてビデオ会議の１つ又はそれ以上の遠隔端点にそれを送信する。代替の実施形態においては、しかしながら、システム１０は、ビデオ会議ユニット１００が、Ｈ．２４９コンテンツとしてビデオ会議の１つ又はそれ以上の遠隔端点に註釈かホワイトボードを送信することができるように、ホワイトボードコンテンツ４５２及び註釈４６０を処理するように任意のコンピュータ（５０、図２Ａ及び２Ｂ）を用いる。
【００５０】
上記のように、任意のコンピュータ（５０、図２Ａ及び２Ｂ）がシステム１０に接続される。トレイ２４０からペン２４２を取り上げることは、システム１０が自動的にディスプレイ装置２００において全スクリーンに表示するように及びビデオ会議の遠隔端点に送信するようにＶＧＡ又はビデオソースを取り上げるようにすることができる。例えば、表示の背景としてホワイトボード４５２を示すのではなく、任意に接続されているコンピュータ（５０）からコンピュータスクリーンを示すことが可能である。どのＶＧＡ又はビデオソースを選択するかは、どのソースがシステム１０について、現在、選択されているかに依存する。例えば、ビデオの註釈に関する挙動は、システム１０と統合されたＡ／Ｖ制御器１５０により制御されることが可能であり、Ａ／Ｖ制御器１５０は、ビデオを註釈し、ソース間で切り替わるように、ここで開示している特徴を与えることが可能である。
【００５１】
上記の好適な実施形態及び他の実施形態は、出願者により考案された本発明の概念の範囲及び適用性を制限する又は限定するように意図されていない。ここで含まれる発明の概念を開示する代わりに、本出願者は、同時提出の特許請求の範囲により与えられる全ての特許権を所望している。それ故、特許請求の範囲は、請求項又はそれと同等のものの範囲内に網羅される全範囲に全ての修正及び変形が含まれることを意図されている。
【図面の簡単な説明】
【００５２】
【図１】本発明の特定の教示にしたがったビデオ会議システムの実施形態を示す図である。
【図２Ａ】ビデオ会議システムの実施形態の模式図である。
【図２Ｂ】ビデオ会議システムの他の実施形態の模式図である。
【図３】ビデオ会議ユニットの構成要素の模式図である。
【図４】タッチスクリーンディスプレイ装置の制御パネルの実施形態を示す図である。
【図５】ビデオ会議システムのメニュー機能の実施形態を示す図である。
【図６】ビデオ会議システムのカメラ機能の実施形態を示す図である。
【図７】ビデオ会議システムの註釈機能の実施形態を示す図である。
【図８】ビデオ会議システムのホワイトボード機能の実施形態を示す図である。
【符号の説明】
【００５３】
１０    ビデオ会議システム
５０    コンピュータ
７０    ビデオカセットレコーダ
８０    ＤＶＤプレーヤ
１００  ビデオ会議ユニット
１０２  カメラ
１０４  マイクロホン
２００  タッチスクリーンディスプレイ装置
２０２  スクリーン
２３０  制御パネル
２４０  アレイ
２４２  イレーサツール
【図１】
0004553909.tif 000002
【図２Ａ】
0004553909.tif 000003
【図２Ｂ】
0004553909.tif 000004
【図３】
0004553909.tif 000005
【図４】
0004553909.tif 000006
【図５】
0004553909.tif 000007
【図６】
0004553909.tif 000008
【図７】
0004553909.tif 000009
【図８】
0004553909.tif 000010